(57)【要約】ディスク再生装置は、ディスク１１に記録された、データ形式が異なる少なくとも２つの音声ファイルを読み出し、デジタルデータに変換して記憶部１４に格納するデータ処理部１３と、データ形式のそれぞれに対応し、記憶部に格納された音声ファイルを、予め設定されたファイル属性に基づきデコードして再生出力するデコーダ１５と、記憶部より読み出されたデータからファイル属性の判定を行い、デコーダに設定されたファイル属性と異なる場合、読み出されたデータのアドレス情報を保持し、以降のデータの読み出しを停止した後、デコーダに対するファイル属性の設定を変更し、先に保持したアドレス情報を用いてデータの読み出しおよび再生を再開する制御部１６と、により構成される。
2008111266.tif 000002
【特許請求の範囲】
【請求項１】
ディスクに記録された、データ形式が異なる少なくとも２つの音声ファイルを読み出し、デジタルデータに変換して記憶部に格納するデータ処理部と、
前記データ形式のそれぞれに対応し、前記記憶部に格納された音声ファイルを、予め設定されたファイル属性に基づきデコードして再生出力するデコーダと、
前記記憶部に格納されたデータを読み出して前記デコーダへ転送するとともに、前記読み出されたデータからファイル属性の判定を行い、前記デコーダに設定されたファイル属性と異なる場合、前記読み出されたデータのアドレス情報を保持し、以降のデータの読み出しを停止した後、前記デコーダに対するファイル属性の設定を変更し、前記保持したアドレス情報を用い前記データの読み出しを再開する制御部と、
を備えたことを特徴とするディスク再生装置。
【請求項２】
前記制御部は、
前記デコーダに対し、同じ拡張子を持つ音声ファイルのファイル属性の設定変更を行うことを特徴とする請求項１記載のディスク再生装置。
【請求項３】
前記制御部は、
前記記憶部に格納されたデータを読み出して前記デコーダへ転送するとともに、前記記憶部からデータを読み出すデータ読み出し制御部と、
前記読み出されたデータのヘッダ情報を参照し、前記ディスクに記録されたファイルのファイル属性を判定するファイル属性判定部と、
前記判定されたファイル属性が前記デコーダに予め設定されたファイル属性と異なっていた場合、前記読み出されたデータのアドレス情報を保持するアドレス情報保持部と、
前記ファイル属性判定部で判定されたファイル属性が前記デコーダに予め設定されたファイル属性と異なっていた場合にミュート再生を行い、前記データ読み出し制御部による以降のデータの読み出しを一旦停止後、前記デコーダに対するファイル属性の設定を変更するとともに、前記アドレス情報保持部が保持したアドレス情報を用いて前記データの読み出しを再開する再生制御部と、
を含むことを特徴とする請求項１記載のディスク再生装置。
【請求項４】
前記再生制御部は、
前記判定されたファイル属性が予め設定されたファイル属性と同じ場合、前記ミュート再生を解除して通常再生を開始することを特徴とする請求項３記載のディスク再生装置。
【発明の詳細な説明】
【技術分野】
【０００１】
この発明は、データ形式が異なる少なくとも２つの音声ファイルが記録されたディスクの再生に用いて好適な、ディスク再生装置に関するものである。
【背景技術】
【０００２】
ＣＤ−ＤＡ（Ｃｏｍｐａｃｔ Ｄｉｓｃ Ｄｉｇｉｔａｌ Ａｕｄｉｏ）、ｄｔｓ−ＣＤ（Ｄｉｇｉｔａｌ Ｔｈｅａｔｅｒ Ｓｙｓｔｅｍ Ｃｏｍｐａｃｔ Ｄｉｓｃ）は、いずれもＣＤ記録媒体に収録される音楽ファイル仕様である。ＣＤ−ＤＡは、音楽をサンプリング周波数４４．１ｋＨｚ、量子化１６ビットのＰＣＭ（Ｐｕｌｓｅ Ｃｏｄｅ Ｍｏｄｕｌａｔｉｏｎ）方式でデジタル録音するため、音質が劣化しないといった特徴を持つ。一方、ｄｔｓ−ＣＤは、ｄｔｓ−ＣＤフォーマット仕様にしたがい記録され、通常のＣＤプレイヤのアナログアウトでは再生できず、デジタルアウトからＤＴＳ用のデコーダにより、５．１チャネルの高品質信号を再生できるものとして利用されている。
最近は、ネットワーク配信により音楽ファイルをダウンロードにより取得することが出来るようになり、これらデータ形式が異なる音楽ファイルを１枚のディスクに混在収録して視聴することが頻繁に行なわれるようになった。【０００３】
ところで、上記したＣＤ−ＤＡとｄｔｓ−ＣＤは、いずれもＣＤ記録媒体に記録されるデータではあるが、再生機器側では、実データを解析する以外に識別が困難なデータであった。従来は、再生機器が、ディスクに記録されたデータをデコーダに入力し、そのデコーダの応答からＣＤ−ＤＡかｄｔｓ−ＣＤかを識別していた。
しかしながらこの方法によれば、メディアタイプが確定して音声が出力されるまでに時間がかかるため、ユーザは、ＣＤ不良、あるいは再生機器が故障したと疑念を抱くことがある。また、デコーダの応答から識別する場合には、仮に、ｄｔｓ−ＣＤと判定されていても、デコーダに入力された以外の未再生データがＣＤ−ＤＡになっている場合は正しく音声が出力されないといった課題も合わせ持つ。
また、同じ拡張子を持つデータの再生についても、同様の課題を有している。【０００４】
一方、従来、ＣＤに記録されているデジタル音響信号が、ＰＣＭデジタル音響信号か、あるいは、ＭＰ３（ＭＰＥＧ Ａｕｄｉｏ Ｌａｙｅｒ ｌｅｖｅｌ ３）等、可変長のビットレートで圧縮符号化されたストリーム信号かを判定するために、ＣＤから読み取ったデータをデコーダに入力する直前にストリーム同期信号を検出する再生装置が知られている（例えば、特許文献１参照）。ストリーム同期信号を検出することによってデータの種別を判定し、データ量をカウントして次回アドレスを算出する。そして、カウンタが所定の値に達した場合にストリーム信号であると判定し、達していない場合に算出したアドレスよりも進んだところから同期信号の検出を再開する。【０００５】
【特許文献１】特開２００５−２５９２２０号公報
【０００６】
しかしながら、上記した特許文献１に開示された技術によれば、デコード処理を行う前にストリーム信号であることの判定を行うことは出来るが、カウンタが所定値に達する、達しないにかかわらずデータ量をカウントする必要がある。また、所定値に達しない場合、再度同期信号の検出を要するため、音声が出力されるまでに無駄な時間を要して再生起動時間に悪影響を及ぼす。このため、ユーザが、ＣＤ不良、あるいは再生機器が故障したと疑念を抱くことに対する解決にはならない。【０００７】
この発明は上記した課題を解決するために、再生起動時間を短縮させ、ユーザに故障したとの疑念を抱かせることを回避したディスク再生装置を得ることを目的とする。
【発明の開示】
【０００８】
上記した課題を解決するためにこの発明に係るディスク再生装置は、ディスクに記録された、データ形式が異なる少なくとも２つの音声ファイルを読み出し、デジタルデータに変換して記憶部に格納するデータ処理部と、前記データ形式のそれぞれに対応し、前記記憶部に格納された音声ファイルを、予め設定されたファイル属性に基づきデコードして再生出力するデコーダと、前記記憶部に格納されたデータを読み出して前記デコーダへ転送するとともに、前記読み出されたデータからファイル属性の判定を行い、前記デコーダに設定されたファイル属性と異なる場合、前記読み出されたデータのアドレス情報を保持し、以降のデータの読み出しを停止した後、前記デコーダに対するファイル属性の設定を変更し、前記保持したアドレス情報を用い前記データの読み出しおよび再生を再開する制御部と、を備えたものである。
【０００９】
この発明によれば、再生起動時間を短縮させてユーザに故障したとの疑念を抱かせることを回避したディスク再生装置を得ることができる。
【図面の簡単な説明】
【００１０】
【図１】この発明の実施の形態１に係るディスク再生装置の内部構成を示すブロック図である。
【図２】この発明の実施の形態１に係るディスク再生装置の制御部の内部構成を機能展開して示したブロック図である。
【図３】この発明の実施の形態１に係るディスク再生装置のディスク再生処理動作を示すフローチャートである。
【図４】従来のディスク再生装置の再生処理動作を示すフローチャートである。
【発明を実施するための最良の形態】
【００１１】
以下、この発明をより詳細に説明するために、この発明を実施するための最良の形態について、添付の図面に従って説明する。
実施の形態１．
図１は、この発明の実施の形態１に係るディスク再生装置の内部構成を示すブロック図である。
この発明の実施の形態１に係るディスク再生装置は、ディスク１１と、ピックアップ１２と、データ処理部１３と、外部メモリ１４と、デコーダ１５と、制御部１６と、ドライブ制御部１７と、により構成される。【００１２】
ディスク１１には、ここでは、ＣＤ−ＤＡ仕様により記録された音楽ファイルと、ｄｔｓ−ＣＤ仕様により記録された音楽ファイルが混在して記録されているものとする。ディスク１１からピックアップ１２を介して読み取られたデータはデータ処理部１３へ供給される。データ処理部１３は、ピックアップ１２により出力されるアナログ信号をデジタルデータに変換して記憶部としての外部メモリ１４へ転送する。外部メモリ１４は、転送されたデータを一旦格納する。【００１３】
デコーダ１５は、ＣＤ−ＤＡ、ｄｔｓ−ＣＤ仕様のそれぞれに対応するものとし、外部メモリ１４に格納された音声ファイルを、予め設定されたファイル属性（ＣＤ−ＤＡかｄｔｓ−ＣＤか）に基づきデコードして不図示の再生系へ再生出力する。
制御部１６は、具体的には制御マイコンにより構成され、内蔵のプログラムにしたがい、外部メモリ１４に格納されたデータを読み出してデコーダ１５へ転送する。また、読み出されたデータからファイル属性の判定を行う。判定されたファイル属性がデコーダ１５に設定されたファイル属性と異なる場合、制御部１６は、読み出されたデータのアドレス情報を保持し、以降のデータの読み出しを停止した後、デコーダ１５に対するファイル属性の設定を変更し、先に保持したアドレス情報を用いデータの読み出しおよび再生を再開する処理を実行する。一方、判定されたファイル属性が予め設定されたファイル属性と同じ場合、制御部１６はミュート再生を解除して通常再生を開始する処理も行う。【００１４】
なお、ドライブ制御部１７は、制御部１６による制御の下、ピックアップ１２を含むディスクドライブを制御する。具体的には、再生トラックにピックアップ１２を移送するとともにフォーカス制御を行なうためのアクチュエータの駆動、およびこれらをサーボ機構によって制御する。【００１５】
図１に示すディスク再生装置の動作を以下に簡単に説明する。まず、ディスク１１からピックアップ１２を介して読み出されたデータは、データ処理部１３によりデジタルデータに変換され、外部メモリ１４に一旦格納される。このとき、制御部１６は、外部メモリ１４にデータが格納されたことを確認してデコーダ１５に再生制御指令を与える。そして、デコーダ１５は外部メモリ１４からデータを読み出し、デコード処理を行った結果得られる再生信号を不図示の再生系に出力して音声出力する。
上記した音声再生処理において、制御部１６は、デコーダ１５に再生制御指令を与える際、外部メモリ１４から読み出されるデータから、アドレス情報とｄｔｓ−ＣＤ同期ヘッダ情報を取得し、デコード設定と異なるデータを検出した時点のアドレス情報を保持し、以降のデータ読み出しを停止する。制御部１６は、続いて、デコーダ１５に対する設定をＣＤ−ＤＡからｄｔｓ−ＣＤに変更するとともに、ドライブ制御部１７に対し、先に取得したアドレス情報に基づくトラック位置にピックアップ１２を移動させ、音声再生を再開させる制御信号を供給する。【００１６】
図２は、図１に示す制御部１６の内部構成を機能展開して示したブロック図である。図２に示されるように、制御部１６は、主制御部１６０と、データ読み出し制御部１６１と、ファイル属性判定部１６２と、アドレス情報保持部１６３と、再生制御部１６４とにより構成される。【００１７】
主制御部１６０は、接続されるデータ処理部１３、デコーダ１５、ドライブ制御部１７のそれぞれを制御するとともに、外部メモリ１４に格納されたデータを読み出してデコーダ１５へ転送し、同時に読み出されたデータからファイル属性の判定を行う。判定されたファイル属性がデコーダ１５に設定されたファイル属性と異なる場合、主制御部１６０は、読み出されたデータのアドレス情報を保持し、以降のデータの読み出しを停止する。その後、デコーダ１５に対するファイル属性の設定を変更し、先に保持したアドレス情報を用いデータの読み出しおよび再生を再開する制御部１６としての制御中枢としての機能を担う。【００１８】
このため、データ読み出し制御部１６１は、外部メモリ１４に格納されたデータを読み出してデコーダ１５へ転送するとともに外部メモリ１４からデータを読み出す。そして、ファイル属性判定部１６２は、外部メモリ１４から読み出されたデータのヘッダ情報を参照してディスク１１に記録されたファイルのファイル属性を判定する。
また、アドレス情報保持部１６３は、ファイル属性判定部１６２で判定されたファイル属性がデコーダ１５に予め設定されたファイル属性と異なっていた場合、読み出されたデータのアドレス情報を保持する。再生制御部１６４は、ファイル属性判定部１６２で判定されたファイル属性が予め設定されたファイル属性と異なっていた場合、ミュート再生を行い、データ読み出し制御部１６１による以降のデータの読み出しを一旦停止後、デコーダ１５に対するファイル属性の設定を変更し、先にアドレス情報保持部１６３が保持したアドレス情報を用いてデータの読み出しおよび再生を再開する制御を行なう。これらはいずれも主制御部１６０によるシーケンス制御の下で行われる。【００１９】
図３は、この発明の実施の形態１に係るディスク再生装置の再生処理動作を示すフローチャートである。
以下、図３のフローチャートを参照しながら、図１、図２に示すこの発明の実施の形態１に係るディスク再生装置の再生処理動作について詳細に説明する。【００２０】
制御部１６（主制御部１６０）は、まず、ディスク１１の所定の領域に記録されたＴＯＣ（Ｔａｂｌｅ Ｏｆ Ｃｏｎｔｅｎｔｓ）情報を読取り、このＴＯＣ情報に基づき総トラック数を参照するとともに各トラックがオーディオトラックであるか否かを判定する（ステップＳＴ３０１）。ここで、オーディオトラックであると判定された場合（ステップＳＴ３０２“ＹＥＳ”）、主制御部１６０は、デコーダ１５に対してＣＤ−ＤＡのファイル属性設定（デコード設定）を行う（ステップＳＴ３０３）。
続いて主制御部１６０は、トラック番号（変数Ｎ）に１を設定し（ステップＳＴ３０４）、このトラック１の開始アドレスＡを算出し（ステップＳＴ３０５）、アドレスＡからディスク１１の最終トラックアドレスまでの全てのデータの読み込みを行うようにデータ読み出し制御部１６１を制御する。データ読み出し制御部１６１は、主制御部１６０からの指示に基づいて外部メモリ１４のアドレスＡからデータの読み出しを開始する（ステップＳＴ３０６）。【００２１】
このとき、外部メモリ１４には、データ処理部１３によりデジタルデータに変換されたファイルが格納されている。また、外部メモリ１４に格納されたデータはデコーダ１５に転送されている。更に、デコーダ１５ではデフォルトによるデコード設定（ここでは、ＣＤ−ＤＡ）に基づくデコード再生処理を開始している。このとき、ファイル属性判定部１６２は、ｄｔｓ−ＣＤデータに付加される同期ヘッダ情報を検知することによってファイル属性を判定することができる。【００２２】
主制御部１６０は、ファイル属性（デコード設定）を参照した結果（ステップＳＴ３０７）、デコード設定がＣＤ−ＤＡで（ステップＳＴ３０７“ＣＤ−ＤＡ”）、ｄｔｓ−ＣＤ同期ヘッダ情報を検出した場合には（ステップＳＴ３０８“ＹＥＳ”）、アドレス情報保持部１６３を制御し、アドレス情報保持部１６３は、そのときのアドレス情報Ａを保持する（ステップＳＴ３０９）。続いて、主制御部１６０は、再生制御部１６４を起動し、再生制御部１６４は、デコーダ１５の出力（音声再生出力）をミュート制御するために不図示の再生系を制御し（ステップＳＴ３１０）、また、データ読み取り制御部１６１による外部メモリ１４からのデータの読み取りを一旦停止する（ステップＳＴ３１１）。【００２３】
再生制御部１６４は、更に、デコーダ１５に対する設定をｄｔｓ−ＣＤに切り換え（ステップＳＴ３１２）、先にアドレス情報保持部１６３が保持したアドレス情報Ａを用いてデータ読み出し制御部１６１によるデータの読込みを再開し、デコード再生を行なう（ステップＳＴ３０６）。
すなわち、主制御部１６０は、ファイル属性判定の結果、読み出されたデータが、現在のデコーダ１５の設定と異なる属性を持つと判定された場合、そのときのアドレスをアドレス情報保持部１６３に保持しておき、音声出力がそのアドレス情報に対応するデータに到達した時点で一旦音声出力をミュートする。続いて、主制御部１６０は、判定されたファイル属性にしたがいデコーダ１５の設定を切り換え、以降、アドレス情報保持部１６３に保持したアドレス情報にしたがいドライブ制御部１７を制御してピックアップ１２を移動制御してディスク１１からのデータ読み出しを再開し、音声出力のミュートを解除する。【００２４】
一方、デコード設定がｄｔｓ−ＣＤで（ステップＳＴ３０７“ｄｔｓ−ＣＤ”）、ファイル属性判定部１６２がｄｔｓ−ＣＤ同期ヘッダ情報を検出することができなかった場合（ステップＳＴ３１３“ＹＥＳ”）、アドレス情報保持部１６３は、主制御部１６０による制御の下で未検出時点のアドレス情報Ａを保持する（ステップＳＴ３１４）。続いて、主制御部１６０は、再生制御部１６４を起動し、再生制御部１６４は、音声出力をミュート制御してデータ読み取り制御部１６１によるデータの読込みを一旦停止させた後（ステップＳＴ３１５、ＳＴ３１６）、デコーダ１５に対するデコード設定をＣＤ−ＤＡに切り換える（ステップＳＴ３１７）。
続いて主制御部１６０は、データ読み出し制御部１６１を起動し、データ読み出し制御部１６１は、先にアドレス情報保持部１６３によって保持されたアドレス情報Ａに基づき外部メモリ１４からのデータの読み出しを再開する（ステップＳＴ３０６）。【００２５】
なお、デコード設定がＣＤ−ＤＡで（ステップＳＴ３０７“ＣＤ−ＤＡ”）、ファイル属性判定部１６２でｄｔｓ−ＣＤ同期ヘッダ情報が検出できなかった場合（ステップＳＴ３０８“ＮＯ”）、または、デコード設定がｄｔｓ−ＣＤで（ステップＳＴ３０７“ｄｔｓ−ＣＤ”）、ｄｔｓ−ＣＤ同期ヘッダ情報が検出できた場合（ステップＳＴ３１３“ＹＥＳ”）、すなわち、判定されたファイル属性が予め設定されたファイル属性と同じ場合、主制御部１６０は、音声出力のミュート解除を確認して（ステップＳＴ３１８“ＹＥＳ”）音声出力を開始する（ステップＳＴ３１９）。以後、ファイル属性判定部１６２は、ｄｔｓ−ＣＤ同期ヘッダ情報の検出を、データ読み出し制御部１６１により読み出される全てのデータ（ディスク終端のデータ）に対して行い、全てのデータが読み込まれるまで上記手順を繰り返し実行する（ステップＳＴ３２０）。【００２６】
上記した実施の形態１に係るディスク再生装置と従来のディスク再生装置のディスク再生動作の差異を明確化するために、比較対照の意味で図４に従来のディスク再生装置におけるディスク再生処理の流れをフローチャートで示してある。【００２７】
図４のフローチャートを簡単に説明すれば、まず、ディスク再生装置は、ディスク１１からＴＯＣ情報を読み込み、総トラック数と各トラックがオーディオトラックであるか否かの情報を取得する（ステップＳＴ４０１）。そして、オーディオトラックが存在するか否かを判定し（ステップＳＴ４０２）、オーディオトラックが存在する場合は（ステップＳＴ４０２“ＹＥＳ”）、各トラックの先頭データをディスク１１から読み込んでデコードし、ＣＤ−ＤＡかｄｔｓ−ＣＤであるかという属性情報を変数ａ［Ｎ］に格納する（ステップＳＴ４０４、ＳＴ４０５）。全トラックの属性情報を格納すると、トラック番号Ｎを１に設定して、変数ａ［Ｎ］から再生すべきトラックのファイル属性を判定し（ステップＳＴ４０９）、デコーダのファイル属性の設定を行う（ステップＳＴ４１０、ＳＴ４１１）。その後、ディスク１１からトラック番号Ｎのデータを読み出して音声出力を開始し（ステップＳＴ４１２、ＳＴ４１３）、トラック番号Ｎのデータの再生が完了すると（ステップＳＴ４１４）、トラック番号Ｎが最終トラック番号でなければ（ステップＳＴ４１５“ＮＯ”）、トラック番号Ｎに１を加算し（ステップＳＴ４１６）、再びステップＳ４０９以降の処理を繰り返す。【００２８】
図３と図４のフローチャートを対比して明確なように、この発明の実施の形態１に係るディスク再生装置の特徴は、図３におけるステップＳ３０８と、Ｓ３１４の処理にある。すなわち、ディスク再生装置（制御部１６）は、デフォルトで設定されたデコード設定にしたがい、まずは再生を開始し、読取ったデータの中からｄｔｓ−ＣＤ同期ヘッダ情報を検出した時点でのアドレス情報を保持し、一旦、音声出力をミュートしてデコード設定を切り換えた後、再度保持したアドレスからデータの読み出しを開始して再生を継続することにある。
デコード設定がＣＤ−ＤＡとなっていたときにｄｔｓ−ＣＤ同期ヘッダ情報を検出し、あるいは、デコード設定がｄｔｓ−ＣＤとなっていたときにｄｔｓ−ＣＤ同期ヘッダ情報が検出できなかった場合に、上記した制御を行うことで、従来のディスク再生処理として図４に示したステップＳ４０４、Ｓ４０５の処理、すなわち、予めデータをデコードし、各トラックがＣＤ−ＤＡかｄｔｓ−ＣＤなのかを示すファイル属性の検出を行う処理が不要になるため、音声出力までの時間を大幅に短縮することができる。【００２９】
さらに、１つのトラック内でＣＤ−ＤＡデータとｄｔｓ−ＣＤデータが混在する特殊なケースの場合にも、従来のディスク再生処理によれば、トラック単位でしかファイル属性を検出しないため、トラックの途中でデコード設定と異なるデータが存在する場合、デコードできずに正常な音声出力を行うことができなかった。一方、この発明の実施の形態１によれば、常にデータとデコード設定との一致を確認することで、ディスク１１上の任意のアドレスでデータが切換わっても柔軟に対応することができ、したがって、常に正常な音声出力を行うことができる。【００３０】
以上説明のようにこの発明の実施の形態１に係るディスク再生装置によれば、ｄｔｓ−ＣＤディスクを再生する際、一旦デコーダ１５の設定をＣＤ−ＤＡに設定して再生処理を開始し、デコーダ１５にディスク１１から読み取ったデータを入力する直前にファイル属性（ｄｔｓ−ＣＤデータ）を識別したときにそのアドレス情報を保持し、音声出力をミュートする。その後、直ちにデコーダ１５の設定をｄｔｓ−ＣＤに変更し、先に保持しておいたアドレス情報位置から再生を開始することで、予め、挿入されているディスク１１がｄｔｓ−ＣＤかＣＤ−ＤＡかを識別する必要がない。このため、この処理に要していた時間だけ時間短縮が可能となり、ディスク１１挿入後、速やかに音声出力を行うことができる。したがって、再生起動時間が短縮され、ユーザにＣＤ不良、あるいは再生機器が故障したとの疑念を抱かせることを回避したディスク再生装置を提供することができる。【００３１】
さらに、この発明の実施の形態１に係るディスク再生装置によれば、デコーダ１５にデータを供給する直前でファイル属性を判定するため、ディスク１１内の任意の位置でＣＤ−ＤＡとｄｔｓ−ＣＤのデータが混在していた場合もこれを検出して適切に音声出力が可能になる。また、ＣＤ−ＤＡとｄｔｓ−ＣＤは、いずれもＣＤメディアに記録されるデータでは有るが、ＰＣ等で再生する場合、その拡張子が同じであることから実データを解析する以外にこれを判別することが困難であったが、この発明を適用することにより再生しながら自動判別が可能になるため、得られる効果は大きい。【００３２】
なお、上記したこの発明の実施の形態１によれば、ＣＤ−ＤＡと、ｄｔｓ−ＣＤが混在して記録されたディスク１１の再生を例示したが、上記の組み合わせに制限されることなく、例えば、ＭＰ３やＡＴＲＡＣ（Ａｄａｐｔｉｖｅ Ｔｒａｎｓｆｏｒｍ Ａｃｏｕｓｔｉｃ Ｃｏｄｉｎｇ）等、データ形式が異なるファイルが混在する全てのメディアの再生に適用が可能である。
また、図２に示す、制御部１６が持つ各構成ブロック（主制御部１６０、データ読み出し制御部１６１、ファイル属性判定部１６２、アドレス情報保持部１６３、再生制御部１６４）が持つ機能は、全てをソフトウェアによって実現しても、あるいはその少なくとも一部をハードウエアで実現してもよい。例えば、主制御部１６０における処理は、１または複数のプログラムによりコンピュータ上で実現してもよく、また、その少なくとも一部をハードウエアで実現してもよい。
【産業上の利用可能性】
【００３３】
以上のように、この発明に係るディスク再生装置は、再生起動時間を短縮することで、ユーザに故障したとの疑念を抱かせることを回避することのできるディスク再生装置としたので、データ形式が異なる音声ファイルが記録されたディスクの再生などに用いるのに適している。
【図１】
2008111266.tif 000003
【図２】
2008111266.tif 000004
【図３】
2008111266.tif 000005
【図４】
2008111266.tif 000006
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ディスクに記録された、データ形式が異なる少なくとも２つの音声ファイルを読み出し、デジタルデータに変換して記憶部に格納するデータ処理部と、
前記データ形式のそれぞれに対応し、前記記憶部に格納された音声ファイルを、予め設定されたファイル属性に基づきデコード再生処理するデコーダと、
前記記憶部に格納されたデータを読み出して前記デコーダへ転送し、前記デコーダに設定されたファイル属性に基づく前記デコード再生処理を開始しているとき、前記読み出されたデータからファイル属性の判定を行い、前記デコーダに設定されたファイル属性と異なる場合、前記読み出されたデータのアドレス情報を保持し、以降のデータの読み出しを停止した後、前記デコーダに対するファイル属性の設定を変更し、前記保持したアドレス情報を用い前記データの読み出しを再開する制御部と、
を備えたことを特徴とするディスク再生装置。
【請求項２】
前記制御部は、
前記デコーダに対し、同じ拡張子を持つ音声ファイルのファイル属性の設定変更を行うことを特徴とする請求項１記載のディスク再生装置。
【請求項３】
前記制御部は、
前記記憶部に格納されたデータを読み出して前記デコーダへ転送するとともに、前記記憶部からデータを読み出すデータ読み出し制御部と、
前記読み出されたデータのヘッダ情報を参照し、前記ディスクに記録されたファイルのファイル属性を判定するファイル属性判定部と、
前記判定されたファイル属性が前記デコーダに予め設定されたファイル属性と異なっていた場合、前記読み出されたデータのアドレス情報を保持するアドレス情報保持部と、
前記ファイル属性判定部で判定されたファイル属性が前記デコーダに予め設定されたファイル属性と異なっていた場合にミュート再生を行い、前記データ読み出し制御部による以降のデータの読み出しを一旦停止後、前記デコーダに対するファイル属性の設定を変更するとともに、前記アドレス情報保持部が保持したアドレス情報を用いて前記データの読み出しを再開し、前記ファイル属性判定部で判定されたファイル属性が前記デコーダに予め設定されたファイル属性と同じ場合にミュート再生を解除して通常再生を開始する再生制御部と、
を含むことを特徴とする請求項１記載のディスク再生装置。
【請求項４】
前記再生制御部は、
前記判定されたファイル属性が予め設定されたファイル属性と同じ場合、前記ミュート再生を解除して通常再生を開始することを特徴とする請求項３記載のディスク再生装置。
【手続補正２】
【補正対象書類名】明細書
【補正対象項目名】０００８
【補正方法】変更
【補正の内容】
【０００８】
上記した課題を解決するためにこの発明に係るディスク再生装置は、ディスクに記録された、データ形式が異なる少なくとも２つの音声ファイルを読み出し、デジタルデータに変換して記憶部に格納するデータ処理部と、前記データ形式のそれぞれに対応し、前記記憶部に格納された音声ファイルを、予め設定されたファイル属性に基づきデコード再生処理するデコーダと、前記記憶部に格納されたデータを読み出して前記デコーダへ転送し、前記デコーダに設定されたファイル属性に基づく前記デコード再生処理を開始しているとき、前記読み出されたデータからファイル属性の判定を行い、前記デコーダに設定されたファイル属性と異なる場合、前記読み出されたデータのアドレス情報を保持し、以降のデータの読み出しを停止した後、前記デコーダに対するファイル属性の設定を変更し、前記保持したアドレス情報を用い前記データの読み出しおよび再生を再開する制御部と、を備えたものである。
【国際調査報告】
2008111266.tif 000007
2008111266.tif 000008